(57)【要約】【課題】本発明は、機密保護のために合成印刷する機密マークを適切に管理して、適切に機密を保護する画像形成装置及び記録媒体に関する。【解決手段】画像形成装置１は、原稿読取部８から入力した文書データを画像蓄積部７に蓄積し、当該蓄積文書の各ページに任意の画像を合成して印刷部１１で印刷する合成印刷を行うに際して、当該合成印刷で、任意のマークを蓄積文書の各ページに合成して印刷するマーク合成印刷を行うとともに、印刷したマークを使用済みマークとして不揮発ＲＡＭ６に記憶する。したがって、マーク合成印刷文書の管理及び回収時のセキュリティを向上させ、蓄積文書の機密保護を適切に向上させることができる。【選択図】          図１
2005184408.tif 000002
【特許請求の範囲】
【請求項１】
入力手段から入力した文書データを蓄積手段に蓄積し、当該蓄積文書の各ページに任意の画像を合成して印刷手段で印刷する合成印刷を行う画像形成装置であって、前記合成印刷で、任意のマークを前記蓄積文書の各ページに合成して印刷するマーク合成印刷を行うとともに、当該印刷したマークを使用済みマークとして記憶手段に記憶することを特徴とする画像形成装置。
【請求項２】
前記画像形成装置は、所定の表示手段を備え、前記記憶手段に記憶されている前記使用済みマークを、当該マーク合成印刷を行った蓄積文書毎に、前記表示手段に表示出力、前記印刷手段で印刷出力、または、外部装置への出力のうち、少なくとも１つを行うことを特徴とする請求項１記載の画像形成装置。
【請求項３】
前記画像形成装置は、前記マーク合成印刷に使用する前記マークを、前記記憶手段に記憶されている前記使用済みマーク以外のマークから自動的に選択することを特徴とする請求項１または請求項２記載の画像形成装置。
【請求項４】
前記画像形成装置は、前記自動選択可能なマークがなくなると、新たなマーク合成印刷を中止することを特徴とする請求項３記載の画像形成装置。
【請求項５】
前記画像形成装置は、前記マーク合成印刷に使用するマークを指定するマーク指定手段を備え、前記マーク合成印刷で当該マーク指定手段で指定されたマークを使用することを特徴とする請求項１または請求項２記載の画像形成装置。
【請求項６】
前記画像形成装置は、前記マーク指定手段で指定されたマークが前記記憶手段に記憶されている前記使用済みマークと一致すると、当該指定されたマークを使用したマーク合成印刷を拒否することを特徴とする請求項５記載の画像形成装置。
【請求項７】
前記画像形成装置は、前記蓄積手段の前記蓄積文書毎に当該蓄積文書を前記マーク合成印刷対象文書とするか否かのマーク合成印刷対象文書可否設定が可能であり、また、当該マーク合成印刷対象文書に対してパスワードの設定が可能であることを特徴とする請求項１から請求項６のいずれかに記載の画像形成装置。
【請求項８】
前記画像形成装置は、前記蓄積文書を前記マーク合成印刷対象文書として設定すると、当該蓄積文書の印刷条件を所定の印刷条件に固定することを特徴とする請求項７記載の画像形成装置。
【請求項９】
前記画像形成装置は、前記蓄積文書毎の前記マーク合成印刷対象文書とするか否かの設定を、当該蓄積文書を前記入力手段から入力して前記蓄積手段に蓄積する際に設定することができることを特徴とする請求項７または請求項８記載の画像形成装置。
【請求項１０】
前記画像形成装置は、前記蓄積文書に前記パスワードが設定されていると、当該蓄積文書を利用した動作に際して、当該パスワードの認証を条件とすることを特徴とする請求項７から請求項９のいずれかに記載の画像形成装置。
【請求項１１】
文書データを入力する入力手段と、文書データを蓄積する蓄積手段と、画像を用紙に印刷出力する印刷手段と、を備えた画像形成装置に読み取られて組み込まれ、前記入力手段から入力される文書データを前記蓄積手段に蓄積させ、当該蓄積文書の各ページに任意の画像を合成して前記印刷手段で合成印刷させるソフトウェアを記録する記録媒体であって、前記ソフトウェアとして、前記請求項１から請求項１０の画像形成装置の実行するマーク合成印刷処理を当該画像形成装置に実行させるソフトウェアを記録することを特徴とする記録媒体。
【発明の詳細な説明】
【技術分野】
【０００１】
本発明は、画像形成装置及び記録媒体に関し、詳細には、機密マークを画像に合成して印刷することで機密を保持する画像形成装置及び記録媒体に関する。
【背景技術】
【０００２】
従来から企業や公的機関においては、重要文書および図面等の機密保持を必要とする文書（以下、必要に応じて、機密文書という。）を取り扱うことが多く、各企業や公的機関は、機密文書の取扱に細心の注意を払って、機密文書が漏洩することを防止している。
【０００３】
ところが、会議資料等のように配布された機密文書は、当該機密文書が複写されて外部に持ち出される場合がしばしばある。
【０００４】
そこで、会議等で機密文書を配布する際には、同一原稿を複数部コピーした場合に、各コピーにそれぞれ異なるマーク（例えば、シリアル番号）を記述し、被配布者とマークの組合わせを記憶して、当該機密文書が漏洩した場合に、漏洩元が明らかなるようにして、機密文書の機密保持を行う等の工夫を行っている。
【０００５】
そして、本出願人は、先に、同一原稿に対する連続画像形成時に、画像形成毎にマーク画像データのマークを変更して、当該マークを原稿の画像に合成して画像形成する画像形成装置を提案している（特許文献１参照）。
【０００６】
【特許文献１】特開平５−２２５６８号公報
【発明の開示】
【発明が解決しようとする課題】
【０００７】
しかしながら、上記従来技術にあっては、機密保持のためのマークを合成して印刷する場合、大略、以下のような処理手順で実行される。
【０００８】
（１）機密ナンバリング印刷モード設定
（２）マークされる番号の開始番号入力
（３）原稿セット
（４）印刷部数入力後、コピースタート
（５）コピーが終わり次第、原稿とコピーを回収する。
【０００９】
すなわち、従来技術では、コピーを終了した後、原稿を持ち帰って原稿を管理することが可能な状況のみを考慮しており、このような状況では、同一文書のそれぞれの部数に対して、同じマークが合成されることはあり得ない。
【００１０】
ところが、近年、文書が蓄積可能な画像形成装置が出現しており、このような蓄積機能を備えた画像形成装置においては、先にスキャナで文書を読み取り、その後、任意のタイミングで印刷することができる。
【００１１】
このような蓄積機能を備えた画像形成装置を用いると、任意のタイミングで任意の部数を印刷することができるために、同一文書の複製物に対して、同じマークを合成させることができ、機密保持のためのマークが機能しない状況となる。
【００１２】
そこで、請求項１記載の発明は、入力手段から入力した文書データを蓄積手段に蓄積し、当該蓄積文書の各ページに任意の画像を合成して印刷手段で印刷する合成印刷を行うに際して、当該合成印刷で、任意のマークを蓄積文書の各ページに合成して印刷するマーク合成印刷を行うとともに、当該印刷したマークを使用済みマークとして記憶手段に記憶することにより、任意のタイミングで任意の部数だけマーク合成印刷する場合等の機密保護のためのマーク合成印刷の利用性を向上させるとともに、マーク合成印刷文書の管理及び回収時のセキュリティを向上させ、利用性を向上させつつ機密保護を必要とする蓄積文書の機密保護を適切に向上させる画像形成装置を提供することを目的としている。
【００１３】
請求項２記載の発明は、記憶手段に記憶されている使用済みマークを、当該マーク合成印刷を行った蓄積文書毎に、表示手段に表示出力、印刷手段で印刷出力、または、外部装置への出力のうち、少なくとも１つを行うことにより、機密保護用のマークを合成印刷した印刷物の配布、回収時のチェックを容易に行うことができ、利用性をより一層向上させつつ機密保護を必要とする蓄積文書の機密保護をより一層適切に向上させる画像形成装置を提供することを目的としている。
【００１４】
請求項３記載の発明は、マーク合成印刷に使用するマークを、記憶手段に記憶されている使用済みマーク以外のマークから自動的に選択することにより、同じ蓄積文書で同じマークを２度と使わないようにしつつマークの選択を容易なものとして、機密保護用のマーク合成印刷時のセキュリティを向上させ、利用性をより一層向上させつつ機密保護を必要とする蓄積文書の機密保護をより一層適切に向上させる画像形成装置を提供することを目的としている。
【００１５】
請求項４記載の発明は、自動選択可能なマークがなくなると、新たなマーク合成印刷を中止することにより、同じマークが再度使われることを確実に防止し、利用性を向上させつつ機密保護を必要とする蓄積文書の機密保護をより一層適切に向上させる画像形成装置を提供することを目的としている。
【００１６】
請求項５記載の発明は、マーク合成印刷に使用するマークを指定するマーク指定手段で指定されたマークを、マーク合成印刷で使用することにより、機密保護に使用するマークの指定を容易に行うとともに、利用者の意図するマークを適切に選択できるようにし、利用性をより一層向上させつつ機密保護を必要とする蓄積文書の機密保護をより一層適切に向上させる画像形成装置を提供することを目的としている。
【００１７】
請求項６記載の発明は、マーク指定手段で指定されたマークが記憶手段に記憶されている使用済みマークと一致すると、当該指定されたマークを使用したマーク合成印刷を拒否することにより、オペレータが選択することによるマークの重複使用を未然に防止し、利用性をより一層向上させつつ、機密保護を必要とする蓄積文書の機密保護をより一層適切に向上させる画像形成装置を提供することを目的としている。
【００１８】
請求項７記載の発明は、蓄積手段の蓄積文書毎に当該蓄積文書をマーク合成印刷対象文書とするか否かのマーク合成印刷対象文書可否設定を可能とし、また、当該マーク合成印刷対象文書に対してパスワードの設定を可能とすることにより、機密管理の必要のない文書については、通常の文書処理を可能として、利用性を向上させるとともに、機密保護を必要とする蓄積文書の機密保護を適切に向上させる画像形成装置を提供することを目的としている。
【００１９】
請求項８記載の発明は、蓄積文書をマーク合成印刷対象文書として設定すると、当該蓄積文書の印刷条件を所定の印刷条件に固定することにより、機密保護を必要とする蓄積文書のマーク合成印刷物では印刷スタイルを統一することで、機密保護用マーク合成印刷物の配布、回収時のチェックを容易なものとし、機密保護を必要とする蓄積文書の機密保護をより一層適切に向上させる画像形成装置を提供することを目的としている。
【００２０】
請求項９記載の発明は、蓄積文書毎のマーク合成印刷対象文書とするか否かの設定を、当該蓄積文書を入力手段から入力して蓄積手段に蓄積する際に設定できるようにすることにより、蓄積後に設定する場合に比較して、マーク合成印刷対象としての未設定期間を無くし、機密保護を必要とする蓄積文書の機密保護をより一層適切に向上させる画像形成装置を提供することを目的としている。
【００２１】
請求項１０記載の発明は、蓄積文書にパスワードが設定されていると、当該蓄積文書を利用した動作に際して、当該パスワードの認証を条件とすることにより、機密保護を必要とする蓄積文書及び当該蓄積文書の機密マーク印刷の履歴情報等についてもより一層適切に機密を保護する画像形成装置を提供することを目的としている。
【００２２】
請求項１１記載の発明は、文書データを入力する入力手段と、文書データを蓄積する蓄積手段と、画像を用紙に印刷出力する印刷手段と、を備えた画像形成装置に読み取られて組み込まれ、入力手段から入力される文書データを蓄積手段に蓄積させ、当該蓄積文書の各ページに任意の画像を合成して印刷手段で合成印刷させるソフトウェアを記録するに際して、当該ソフトウェアとして、請求項１から請求項１０の画像形成装置の実行するマーク合成印刷処理を当該画像形成装置に実行させるソフトウェアを記録することにより、当該ソフトウェアを画像形成装置に導入して実行することで、利用性を向上させつつ、機密保護を必要とする蓄積文書の機密を適切に保護する画像形成装置を構築することのできる記録媒体を提供することを目的としている。
【課題を解決するための手段】
【００２３】
請求項１記載の発明の画像形成装置は、入力手段から入力した文書データを蓄積手段に蓄積し、当該蓄積文書の各ページに任意の画像を合成して印刷手段で印刷する合成印刷を行う画像形成装置であって、前記合成印刷で、任意のマークを前記蓄積文書の各ページに合成して印刷するマーク合成印刷を行うとともに、当該印刷したマークを使用済みマークとして記憶手段に記憶することにより、上記目的を達成している。
【００２４】
この場合、例えば、請求項２に記載するように、前記画像形成装置は、所定の表示手段を備え、前記記憶手段に記憶されている前記使用済みマークを、当該マーク合成印刷を行った蓄積文書毎に、前記表示手段に表示出力、前記印刷手段で印刷出力、または、外部装置への出力のうち、少なくとも１つを行うものであってもよい。
【００２５】
また、例えば、請求項３に記載するように、前記画像形成装置は、前記マーク合成印刷に使用する前記マークを、前記記憶手段に記憶されている前記使用済みマーク以外のマークから自動的に選択するものであってもよい。
【００２６】
さらに、例えば、請求項４に記載するように、前記画像形成装置は、前記自動選択可能なマークがなくなると、新たなマーク合成印刷を中止するものであってもよい。
【００２７】
また、例えば、請求項５に記載するように、前記画像形成装置は、前記マーク合成印刷に使用するマークを指定するマーク指定手段を備え、前記マーク合成印刷で当該マーク指定手段で指定されたマークを使用するものであってもよい。
【００２８】
さらに、例えば、請求項６に記載するように、前記画像形成装置は、前記マーク指定手段で指定されたマークが前記記憶手段に記憶されている前記使用済みマークと一致すると、当該指定されたマークを使用したマーク合成印刷を拒否するものであってもよい。
【００２９】
また、例えば、請求項７に記載するように、前記画像形成装置は、前記蓄積手段の前記蓄積文書毎に当該蓄積文書を前記マーク合成印刷対象文書とするか否かのマーク合成印刷対象文書可否設定が可能であり、また、当該マーク合成印刷対象文書に対してパスワードの設定が可能であるものであってもよい。
【００３０】
さらに、例えば、請求項８に記載するように、前記画像形成装置は、前記蓄積文書を前記マーク合成印刷対象文書として設定すると、当該蓄積文書の印刷条件を所定の印刷条件に固定するものであってもよい。
【００３１】
また、例えば、請求項９に記載するように、前記画像形成装置は、前記蓄積文書毎の前記マーク合成印刷対象文書とするか否かの設定を、当該蓄積文書を前記入力手段から入力して前記蓄積手段に蓄積する際に設定するものであってもよい。
【００３２】
さらに、例えば、請求項１０に記載するように、前記画像形成装置は、前記蓄積文書に前記パスワードが設定されていると、当該蓄積文書を利用した動作に際して、当該パスワードの認証を条件とするものであってもよい。
【００３３】
請求項１１記載の発明の記録媒体は、文書データを入力する入力手段と、文書データを蓄積する蓄積手段と、画像を用紙に印刷出力する印刷手段と、を備えた画像形成装置に読み取られて組み込まれ、前記入力手段から入力される文書データを前記蓄積手段に蓄積させ、当該蓄積文書の各ページに任意の画像を合成して前記印刷手段で合成印刷させるソフトウェアを記録する記録媒体であって、前記ソフトウェアとして、前記請求項１から請求項１０の画像形成装置の実行するマーク合成印刷処理を当該画像形成装置に実行させるソフトウェアを記録することにより、上記目的を達成している。
【発明の効果】
【００３４】
請求項１記載の発明の画像形成装置によれば、入力手段から入力した文書データを蓄積手段に蓄積し、当該蓄積文書の各ページに任意の画像を合成して印刷手段で印刷する合成印刷を行うに際して、当該合成印刷で、任意のマークを蓄積文書の各ページに合成して印刷するマーク合成印刷を行うとともに、当該印刷したマークを使用済みマークとして記憶手段に記憶するので、任意のタイミングで任意の部数だけマーク合成印刷する場合等の機密保護のためのマーク合成印刷の利用性を向上させることができるとともに、マーク合成印刷文書の管理及び回収時のセキュリティを向上させることができ、利用性を向上させつつ機密保護を必要とする蓄積文書の機密保護を適切に向上させることができる。
【００３５】
請求項２記載の発明の画像形成装置によれば、記憶手段に記憶されている使用済みマークを、当該マーク合成印刷を行った蓄積文書毎に、表示手段に表示出力、印刷手段で印刷出力、または、外部装置への出力のうち、少なくとも１つを行うので、機密保護用のマークを合成印刷した印刷物の配布、回収時のチェックを容易に行うことができ、利用性をより一層向上させつつ機密保護を必要とする蓄積文書の機密保護をより一層適切に向上させることができる。
【００３６】
請求項３記載の発明の画像形成装置によれば、マーク合成印刷に使用するマークを、記憶手段に記憶されている使用済みマーク以外のマークから自動的に選択するので、同じ蓄積文書で同じマークを２度と使わないようにすることができるとともに、マークの選択を容易なものとして、機密保護用のマーク合成印刷時のセキュリティを向上させることができ、利用性をより一層向上させつつ機密保護を必要とする蓄積文書の機密保護をより一層適切に向上させることができる。
【００３７】
請求項４記載の発明の画像形成装置によれば、自動選択可能なマークがなくなると、新たなマーク合成印刷を中止するので、同じマークが再度使われることを確実に防止することができ、利用性を向上させつつ機密保護を必要とする蓄積文書の機密保護をより一層適切に向上させることができる。
【００３８】
請求項５記載の発明の画像形成装置によれば、マーク合成印刷に使用するマークを指定するマーク指定手段で指定されたマークを、マーク合成印刷で使用するので、機密保護に使用するマークの指定を容易に行うことができるとともに、利用者の意図するマークを適切に選択できるようにすることができ、利用性をより一層向上させつつ機密保護を必要とする蓄積文書の機密保護をより一層適切に向上させることができる。
【００３９】
請求項６記載の発明の画像形成装置によれば、マーク指定手段で指定されたマークが記憶手段に記憶されている使用済みマークと一致すると、当該指定されたマークを使用したマーク合成印刷を拒否するので、オペレータが選択することによるマークの重複使用を未然に防止することができ、利用性をより一層向上させつつ、機密保護を必要とする蓄積文書の機密保護をより一層適切に向上させることができる。
【００４０】
請求項７記載の発明の画像形成装置によれば、蓄積手段の蓄積文書毎に当該蓄積文書をマーク合成印刷対象文書とするか否かのマーク合成印刷対象文書可否設定を可能とし、また、当該マーク合成印刷対象文書に対してパスワードの設定を可能としているので、機密管理の必要のない文書については、通常の文書処理を可能として、利用性を向上させることができるとともに、機密保護を必要とする蓄積文書の機密保護を適切に向上させることができる。
【００４１】
請求項８記載の発明の画像形成装置によれば、蓄積文書をマーク合成印刷対象文書として設定すると、当該蓄積文書の印刷条件を所定の印刷条件に固定するので、機密保護を必要とする蓄積文書のマーク合成印刷物では印刷スタイルを統一することで、機密保護用マーク合成印刷物の配布、回収時のチェックを容易なものとすることができ、機密保護を必要とする蓄積文書の機密保護をより一層適切に向上させることができる。
【００４２】
請求項９記載の発明の画像形成装置によれば、蓄積文書毎のマーク合成印刷対象文書とするか否かの設定を、当該蓄積文書を入力手段から入力して蓄積手段に蓄積する際に設定できるようにしているので、蓄積後に設定する場合に比較して、マーク合成印刷対象としての未設定期間を無くすことができ、機密保護を必要とする蓄積文書の機密保護をより一層適切に向上させるさせることができる。
【００４３】
請求項１０記載の発明の画像形成装置によれば、蓄積文書にパスワードが設定されていると、当該蓄積文書を利用した動作に際して、当該パスワードの認証を条件としているので、機密保護を必要とする蓄積文書及び当該蓄積文書の機密マーク印刷の履歴情報等についてもより一層適切に機密を保護することができる。
【００４４】
請求項１１記載の発明の記録媒体によれば、文書データを入力する入力手段と、文書データを蓄積する蓄積手段と、画像を用紙に印刷出力する印刷手段と、を備えた画像形成装置に読み取られて組み込まれ、入力手段から入力される文書データを蓄積手段に蓄積させ、当該蓄積文書の各ページに任意の画像を合成して印刷手段で合成印刷させるソフトウェアを記録するに際して、当該ソフトウェアとして、請求項１から請求項１０の画像形成装置の実行するマーク合成印刷処理を当該画像形成装置に実行させるソフトウェアを記録しているので、当該ソフトウェアを画像形成装置に導入して実行することで、利用性を向上させることができ、機密保護を必要とする蓄積文書の機密を適切に保護することができる。
【発明を実施するための最良の形態】
【００４５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００４６】
図１〜図１６は、本発明の画像形成装置及び記録媒体の一実施例を示す図であり、図１は、本発明の画像形成装置及び記録媒体の一実施例を適用した画像形成装置１のブロック構成図である。
【００４７】
図１において、画像形成装置１は、ＣＰＵ（Central Processing Unit ）２、ＲＯＭ（Read Only Memory）３、ＲＡＭ（Random Access Memory）４、操作部５、不揮発ＲＡＭ６、画像蓄積部７、原稿読取部８、ＭＳＵ９、画像メモリ１０、印刷部１１及びネットワークアダプタ１２等を備えている。
【００４８】
ＲＯＭ３は、画像形成装置１としての基本プログラム及び後述する文書機密処理プログラム等の各種プログラムを格納するとともに、これらの各プログラムを実行するのに必要な各種データを格納する。この文書機密処理プログラム（ソフトウェア）は、予めＲＯＭ３に格納されているものに限るものではなく、例えば、ＣＤ（Compact Disc）等の記録媒体に当該文書機密処理プログラムが記録されていて、当該文書機密処理プログラムを図示しないドライバで読み取って、図示しないハードディスクあるいはプログラム格納用メモリに格納するようにしてもよい。そして、本実施例の画像形成装置１は、当該文書機密処理プログラムを組み込むことで、構築される。
【００４９】
ＣＰＵ２は、ＲＯＭ３内のプログラムに基づいて、ＲＡＭ４をワークメモリとして利用しつつ画像形成装置１の各部を制御して、画像形成装置１としての基本処理を実行するとともに、後述する文書機密処理を実行する。
【００５０】
操作部５は、図２に示すように、テンキー２１、クリアキー２２、エンターキー２３、スタートキー２４、コピーキー２５、蓄積・印刷キー２６、初期設定キー２７等のハードキーが設けられているとともに、液晶タッチパネル（表示手段）２８が設けられている。液晶タッチパネル２８には、機能キー及び画像形成装置１の状態を示すメッセージ等が表示され、液晶タッチパネル２８は、後述するように、表示マーク合成印刷に使用するマークを指定するのに使用され、マーク指定手段としても機能する。
【００５１】
テンキー２１は、各種数値を入力するのに使用され、エンターキー２３は、テンキー２１で入力された数値を確定するために使用される。クリアキー２２は、テンキー２１等の入力をクリアするのに使用され、コピーキー２５は、画像形成装置１でコピー機能を実行させる場合に押下される。蓄積・印刷キー２６は、原稿読取部８で読み取った原稿の画像データを画像蓄積部７に蓄積したり、蓄積済の画像データを使用して印刷部１１で画像を用紙に印刷する場合に押下され、初期設定キー２７は、画像形成装置１の属性を設定する場合に押下される。
【００５２】
不揮発ＲＡＭ（記憶手段）６は、画像形成装置１の動作で、画像形成装置１の電源がオフになっても記憶しておくべき各種設定値やファイル属性テーブル等を、ＣＰＵ２の制御下で記憶する。
【００５３】
原稿読取部（入力部）８は、例えば、ＣＣＤ（Charge Coupled Device ）を利用したイメージスキャナ等が用いられており、ＡＤＦ（自動原稿送り装置）を備えている。ＡＤＦは、セットされた複数の原稿を１枚ずつ分離して、原稿読取部８の読取台に搬送する。原稿読取部８は、読取台上にセットされた原稿及びＡＤＦにより読取台上に搬送されてきた原稿に光を照射して、原稿で反射された反射光により原稿の画像を読み取る。原稿読取部８の読み取った画像データは、ＭＳＵ９により画像メモリ１０または画像蓄積部７に格納される。
【００５４】
印刷部（印刷手段）１１は、所定の印刷方式、例えば、電子写真方式等でＭＳＵ９から転送されてくる画像データに基づいて記録紙に印刷を行う。
【００５５】
画像メモリ１０は、出力用の画像データを記憶し、ＭＳＵ９からアクセスすることができる。
【００５６】
画像蓄積部（蓄積手段）７は、画像メモリ１０上にある画像データを保存し、また、保存した画像データは、ＭＳＵ９により読み出されて、画像メモリ１０上に展開される。
【００５７】
ＭＳＵ９は、画像メモリ用のコントローラであり、ＣＰＵ２からのコマンドによって画像メモリ１０、画像蓄積部７等の制御を行って、原稿読取部８からの画像データの画像メモリ１０への記憶、画像メモリ１０の画像の画像蓄積部７への保存、画像蓄積部７に保存している画像の画像メモリ１０上への展開、画像蓄積部７に保存した画像の削除、画像メモリ１０に展開した画像の印刷部１１での記録出力、ＣＰＵ２からの画像メモリ１０上に対する任意の値のセット（任意の画像の書き込み）及び画像メモリ１０の２つの画像の画素毎に論理演算を行って、その結果である合成画像を別画像として画像メモリ１０に展開処理等を実行する。
【００５８】
ネットワークアダプタ１２には、ＬＡＮ（Local Area Network）が接続されており、このＬＡＮに接続されている外部装置としての外部コンピュータＰＣとの間で、コマンドの送・受信を行う。
【００５９】
なお、図１には図示していないが、画像形成装置１は、各種定型サイズの転写紙を収納する複数の転写紙トレー、各転写紙トレーの用紙有無を検出する用紙センサ及びその他の各種負荷やセンサ等のドライバ、リアルタイムクロック等を備えていて、これらがＣＰＵ２に接続されている。
【００６０】
次に、本実施例の作用を説明する。まず、本実施例の画像形成装置１による任意のマーク画像と文書の画像とを合成して印刷する場合のマーク合成印刷処理について、図３に基づいて説明する。
【００６１】
図３において、画像形成装置１は、任意のマーク画像を文書画像と合成して印刷する場合、まず、図３に処理Ｐ１で示すように、ＣＰＵ２がマーク画像をＭＳＵ９を介して画像メモリ１０に書き込む。このマーク画像は、例えば、図３では、「１」というカウンタのカウント値の画像を用いているが、機密マーク印刷モードが、配布者モードになっているときには、配布者の名前の文字列がマーク画像となる。
【００６２】
次に、ＭＳＵ９は、図３に処理Ｐ２で示すように、画像蓄積部７から合成印刷する文書を構成する画像（文書画像：図３では、会議資料の画像）を読み出して画像メモリ１０上に展開し、画像メモリ１０上に展開した文書画像と画像メモリ１０に書き込んだマーク画像を、図３に処理Ｐ３で示すように、論理演算して文書合成して、当該合成した結果の合成文書を、図３に処理Ｐ４で示すように、画像メモリ１０の別の領域に記憶する。
【００６３】
次に、ＭＳＵ９は、図３に処理５で示すように、画像メモリ１０の合成文書を読み出して印刷部１１に転送し、印刷部１１に合成文書の印刷を行わせる。
【００６４】
ＭＳＵ９は、画像蓄積部７に文書画像の次ページがあるかチェックし、次ページがあると、当該次ページの画像を読み出して、上記同様に、マーク画像と合成して、印刷部１１で印刷する。
【００６５】
そして、画像蓄積部７の文書画像の全ページのマーク画像と合成した機密マーク印刷が完了すると、ＣＰＵ２が、図３に処理Ｐ１で示したように、新たなマーク画像をＭＳＵ９を介して画像メモリ１０に書き込み、上記同様に、次の文書画像と合成した合成文書を印刷するという処理を繰り返し行って、機密マーク印刷を行う。
【００６６】
そして、上記画像蓄積部７に蓄積される文書画像は、原稿読取部８で原稿から読み取られ、画像蓄積部７に文書ファイルとして蓄積されるが、この文書ファイルは、ファイル属性を有しており、１つの文書に対して、図４に示すようなファイル属性があり、画像蓄積部７の文書ファイルと対応させた状態で、不揮発ＲＡＭ６に記憶される。
【００６７】
すなわち、ファイル属性は、ファイルＩＤ、ファイル名、蓄積時刻、作成者、ページ数、パスワード、機密マーク印刷の有無とモード（カウンタまたは配布者リスト）、機密マーク印刷履歴（カウンタ）及び機密マーク印刷履歴（配布者リスト）等からなる。
【００６８】
ここで、ファイルＩＤとは、蓄積した文書に対して一意に採番し、文書を特定するためのＩＤである。ファイル名とは、蓄積した文書の名前であり、後述するように、文書蓄積時に、ファイル名設定キー４１（図７参照）が押下されることで、任意の名前が設定され、また、キーによる設定が行われない場合は、画像形成装置１が自動でファイル名を生成する。蓄積時刻は、文書蓄積終了時にリアルタイムクロックから時刻を読み出して、セットされる。作成者は、後述するように、文書蓄積処理時に、ファイル作成者設定キー４２（図７参照）が押下されることで設定される。ページ数とは、蓄積文書を構成している画像のページ数であり、ページ数は、後述する文書蓄積処理時に、文書の蓄積が終了した後に設定される。パスワードは、機密マーク印刷の設定のある文書に対して、機密マーク印刷の解除、印刷、今までに機密マーク印刷でマークした内容の印刷、表示等の場合に、当該印刷、表示を指示操作する操作者を認証するために使用されるもので、後述するように、文書蓄積処理時に設定される。機密マーク印刷の有無とモードとは、その蓄積文書が機密マーク印刷の設定がされているかどうか、また、されている場合には、その機密マーク印刷が印刷部数毎にカウントアップする数字をマークに用いるタイプ（カウンタモード）、または、配布者の名前をマークに用いるタイプ（配布者モード）のどちらのモードになっているかを示すものである。機密マーク印刷履歴（カウンタ）とは、機密マーク印刷のモードがカウンタモードの場合にのみ有効で、その蓄積文書の機密マーク印刷時のカウンタの最新値が設定されており、１部数印刷する毎にカウントアップする。機密マーク印刷履歴（配布者リスト）とは、機密マーク印刷のモードが配布者モードの場合にのみ有効で、その蓄積文書の機密マーク印刷時にマーク印刷した配布者のリストが最新値が設定されており、１部数印刷する毎に新たに名前が設定される。
【００６９】
まず、文書蓄積処理について、図２、図５〜図８に基づいて説明する。画像形成装置１は、図２の操作部５の蓄積・印刷キー２６が押下されると、当該キー２６の押下をＣＰＵ２が認識して、図５に示す蓄積文書一覧画面３０を操作部５の液晶タッチパネル２８に表示する。この蓄積文書一覧画面３０には、複数の文書キー３１ａ〜３１ｃ、機密マーク印刷モードキー３２、印刷条件設定キー３３、文書蓄積キー３４、詳細キー３５、ページ戻るキー３６及びページ進むキー３７等が表示され、文書キー３１ａ〜３１ｃには、画像メモリ１０に蓄積されている蓄積文書が表示されるとともに、キーになっていて、押下されることで、当該表示している文書の選択の選択が行われる。なお、文書キー３１ａ〜３１ｃには、蓄積されている文書の文書ファイル名、作成者、作成日時、ページ数等の文書情報が表示される。
【００７０】
機密モード印刷モードキー３２は、処理対象の蓄積文書を文書キー３１ａ〜３１ｃで選択した後で押下されることで、当該蓄積文書の機密マーク印刷モードの設定・解除処理への移行を選択するキーであり、印刷条件設定キー３３は、処理対象の蓄積文書を文書キー３１ａ〜３１ｃで選択した後で押下されることで、両面印刷モード、集約印刷モード等の当該選択した蓄積文書に対する印刷条件を設定する処理への移行を選択するキーである。なお、選択した蓄積文書が機密マーク印刷有りの設定がなされている場合、印刷条件設定キー３３の押下は無効であり、印刷条件を変更することはできず、デフォルトでの印刷条件で印刷される。
【００７１】
詳細キー３５は、文書キー３１ａ〜３１ｃで処理対象の蓄積文書を選択した後で押下されることで、例えば、図６（ａ）、（ｂ）に示すように、当該選択された文書の詳細情報を液晶タッチパネル２８に表示し、当該文書の詳細情報、特に、機密マーク印刷の履歴（図６（ａ）の機密印刷用のマーク（カウント）または図６（ｂ）の機密印刷用の配布者リストを見ることができる。
【００７２】
ページ戻るキー３６及びページ進むキー３７は、蓄積文書数が液晶タッチパネル２８の文書キー３１ａ〜３１ｃに表示できる数を越えているときに、次の蓄積文書一覧を表示させ、また、戻って以前の蓄積文書一覧を表示させるのに使用される。
【００７３】
そして、文書蓄積キー３４は、次に説明する文書蓄積処理モードに移行させるキーであり、押下されると、ＣＰＵ２が、図７に示す文書蓄積処理画面４０を液晶タッチパネル２８に表示させ、文書蓄積処理モードに移行する。なお、文書蓄積処理画面４０では、ファイル名設定キー４１、ファイル作成者設定キー４２及び機密マーク印刷設定キー４３が表示される。
【００７４】
そして、ＣＰＵ２は、文書蓄積処理モードに移行すると、図８に示すように、まず、機密マーク印刷設定キー４３が押下されたか（ステップＳ１０１）、ファイル名設定キー４１が押下されたか（ステップＳ１０６）、ファイル作成者設定キー４２が押下されたか（ステップＳ１０８）、あるいは、スタートキー２４が押下されたか（ステップＳ１１０）、を順次チェックする。
【００７５】
ステップＳ１０１で、機密マーク印刷設定キー４３が押下されると、ＣＰＵ２は、ファイル属性の機密マーク印刷有無を「有り」に設定し（ステップＳ１０２）、ファイル属性の機密マーク印刷モードをカウンタモードと配布者モードのいずれにするかの選択処理を行って（ステップＳ１０３）、パスワードの設定キー（図示略）が押下されたかチェックする（ステップＳ１０４）。
【００７６】
ステップＳ１０４で、パスワード設定キーが押下されると、ＣＰＵ２は、操作部５から入力されたパスワードをファイル属性に記憶するパスワード設定処理を行い（ステップＳ１０５）、ファイル名設定キー４１が押下されたかチェックする（ステップＳ１０６）。
【００７７】
ステップＳ１０４で、パスワード設定キーが押下されないときには、ＣＰＵ２は、パスワード設定処理を行うことなく、ファイル名設定キー４１が押下されたかチェックし（ステップＳ１０６）、ファイル名設定キー４１が押下されると、操作部５から入力されたファイル名を記憶するファイル名設定処理を行って（ステップＳ１０７）、ファイル作成者設定キー４２が押下されたかチェックする（ステップＳ１０８）。
【００７８】
ステップＳ１０６で、ファイル名設定キー４１が押下されないときには、ＣＰＵ２は、ファイル名設定処理を行うことなく、ファイル作成者設定キー４２が押下されたかチェックし（ステップＳ１０８）、ファイル作成者設定キー４２が押下されると、操作部５から入力されたファイル作成者名を記憶するファイル作成者名設定処理を行って（ステップＳ１０９）、スタートキー２４が押下されたかチェックする（ステップＳ１１０）。
【００７９】
ステップＳ１０８で、ファイル作成者設定キー４２が押下されないときには、ＣＰＵ２は、ファイル作成者名設定処理を行うことなく、スタートキー２４が押下されたかチェックし（ステップＳ１１０）、スタートキー２４が押下されないときには、ステップＳ１０１に戻って、上記同様に処理する（ステップＳ１０１〜Ｓ１１０）。
【００８０】
ステップＳ１１０で、スタートキー２４が押下されると、ＣＰＵ２は、原稿読取部８で原稿１ページを読み取って、一旦画像メモリ１０に蓄積した後（ステップＳ１１１）、次の原稿が原稿読取部８、具体的には、ＡＤＦにないかチェックし（ステップＳ１１２）、次の原稿があるときには、当該次の原稿の読み取りを行う処理を全ての原稿を読み取るまで順次繰り返し行う（ステップＳ１１１、Ｓ１１２）。
【００８１】
ステップＳ１１２で、次の原稿がないときには、ＣＰＵ２は、読み取った原稿の画像データを画像蓄積部７に蓄積するとともに、上記設定したファイル属性を当該画像蓄積部７の原稿の画像データである蓄積文書ファイルと関連付けて不揮発ＲＡＭ６に書き込んで、処理を終了する（ステップＳ１１３）。
【００８２】
次に、画像形成装置１による基本制御処理について、図９及び図１０に基づいて説明する。
【００８３】
画像形成装置１は、上述のように、図２の操作部５の蓄積・印刷キー２６が押下されると、ＣＰＵ２が、図９に示すように、図５に示した蓄積文書一覧画面３０を操作部５の液晶タッチパネル２８に表示し（ステップＳ２０１）、この蓄積文書一覧画面３０で、文書蓄積キー３４が押下されたかチェックする（ステップＳ２０２）。
【００８４】
ステップＳ２０２で、文書蓄積キー３４が押下されると、ＣＰＵ２は、上記図８に示した文書蓄積処理を行い（ステップＳ２０３）、文書キー（蓄積文書蓄積キー）３１ａ〜３１ｃで蓄積文書の選択が行われたかチェックする（ステップＳ２０４）。
【００８５】
ステップＳ２０４で、文書キー３１ａ〜３１ｃが押下されないときには、ＣＰＵ２は、処理対象の蓄積文書が特定されないため、ステップＳ２０２に戻って、文書蓄積キー３４の押下があるかのチェック処理から上記同様に処理し（ステップＳ２０２〜Ｓ２０４）、ステップＳ２０４で、文書キー３１ａ〜３１ｃが押下されると、当該選択された蓄積文書のファイル属性を不揮発ＲＡＭ６から読み出して、当該選択文書がパスワード設定済であるかチェックする（ステップＳ２０５）。
【００８６】
ステップＳ２０５で、選択文書にパスワードが設定されているときには、ＣＰＵ２は、操作部５からパスワードが入力されると、当該入力されたパスワードを取得して（ステップＳ２０６）、当該入力パスワードと当該選択文書のファイル属性に設定されているパスワードが一致するかチェックし（ステップＳ２０７）、パスワードが一致しないときには、当該選択文書に対する動作処理を拒否して、ステップＳ２０２に戻って、文書蓄積キー３４が押下されたかのチェックから上記同様に処理する（ステップＳ２０２〜Ｓ２０７）。
【００８７】
ステップＳ２０７で、入力パスワードとファイル属性のパスワードが一致すると、ＣＰＵ２は、蓄積文書が選択状態に移行して（ステップＳ２０８）、図１０に示すように、ファイル属性に機密マーク印刷有りの設定となっているかチェックし（ステップＳ２０９）、ファイル属性に機密マーク印刷有りの設定となっていない（機密マーク印刷無しの設定となっている）ときには、印刷条件の設定入力を行うことができ、印刷条件設定入力処理を行って（ステップＳ２１０）、印刷部数入力処理を行う（ステップＳ２１１）。この印刷条件設定入力処理では、図５の印刷条件設定キー３３が押下され、ＣＰＵ２は、この印刷条件設定キー３３が押下されると、印刷条件設定画面を操作部５の液晶タッチパネル２８に表示し、両面印刷モード、集約印刷モード等の印刷条件設定を可能とする。
【００８８】
そして、ステップＳ２０９で、ファイル属性が機密マーク印刷有りの設定となっているときには、ＣＰＵ２は、印刷条件設定入力処理を行うことなく、印刷部数入力処理を行う（ステップＳ２１１）。すなわち、機密マーク印刷（機密マーク合成印刷）を行う場合には、機密マーク印刷を行った文書の回収時に、文書が同一であることの判別を容易にするために、機密マーク印刷では、当該文書に対して、同じ形式で印刷を継続することとし、機密マーク印刷有りの場合には、印刷条件の設定を認めないで、印刷条件としてデフォルトを用いる。
【００８９】
ステップＳ２１１の印刷部数入力処理では、ＣＰＵ２は、操作部５のテンキー２１の入力を判断し、印刷部数の設定を行う。
【００９０】
ＣＰＵ２は、印刷部数入力処理を行うと、機密マーク印刷モードキー３２が押下されたかチェックし（ステップＳ２１２）、機密マーク印刷モードキー３２が押下されると、後述する機密マーク印刷モード設定処理を行って（ステップＳ２１３）、当該選択状態の蓄積文書の文書キー３１ａ〜３１ｃが押下されたかチェックする（ステップＳ２１４）。
【００９１】
ＣＰＵ２は、ステップＳ２１２で、機密マーク印刷モードキー３２が押下されないときには、当該選択状態の蓄積文書の文書キー３１ａ〜３１ｃが押下されたかチェックする（ステップＳ２１４）。
【００９２】
ステップＳ２１４で、選択状態の蓄積文書の文書キー３１ａ〜３１ｃが押下されると、ＣＰＵ２は、当該蓄積文書の選択状態の解除要求であると判断して、当該蓄積文書の選択状態を解除して（ステップＳ２１５）、ステップＳ２０２に戻って、上記同様に処理する（ステップＳ２０２〜Ｓ２１４）。
【００９３】
ステップＳ２１４で、選択状態の蓄積文書の文書キー３１ａ〜３１ｃが押下されないときには、ＣＰＵ２は、スタートキー２４が押下されたかチェックし（ステップＳ２１６）、スタートキー２４が押下されると、後述する文書印刷動作処理を実行して（ステップＳ２１７）、詳細キー３５が押下されたかチェックする（ステップＳ２１８）。
【００９４】
ステップＳ２１６で、スタートキー２４が押下されないときには、ＣＰＵ２は、文書印刷動作処理を行うことなく、詳細キー３５が押下されたかチェックし（ステップＳ２１８）、詳細キー３５が押下されないときには、ステップＳ２０９に戻って、上記同様の処理を行う（ステップＳ２０９〜Ｓ２１８）。
【００９５】
ステップＳ２１８で、詳細キー３５が押下されると、ＣＰＵ２は、文書詳細情報の表示を行う（ステップＳ２１９）。この文書詳細情報の表示では、ＣＰＵ２は、図６（ａ）あるいは図６（ｂ）に示したような文書詳細属性の内容を操作部５の液晶タッチパネル２８に表示する。
【００９６】
そして、ＣＰＵ２は、この文書詳細情報の表示状態で、印刷キー（蓄積・印刷キー）２６が押下されたか、終了キーが押下されたかをチェックし（ステップＳ２２０、Ｓ２２２）、印刷キー２６が押下されると、文書詳細情報の印刷動作処理を行う（ステップＳ２２１）。
【００９７】
そして、この文書詳細情報の印刷動作処理では、図６（ａ）、（ｂ）に示すような文書詳細情報を印刷部１１に転送して、印刷部１１で用紙に印刷出力するが、この印刷される文書詳細情報には、当該印刷時点までに当該蓄積文書の機密マーク印刷で印刷したマークが印刷されるので、文書回収時の文書照合を容易に行うことができる。
【００９８】
ステップＳ２２２で、終了キーが押下されると、ＣＰＵ２は、元の蓄積文書一覧画面３０の表示状態に戻る。
【００９９】
そして、上記図１０のステップＳ２１３の機密マーク印刷モード設定処理について、図１１に基づいて説明する。
【０１００】
ＣＰＵ２は、上述のように、蓄積文書選択の状態で、ステップＳ２１２で、蓄積マーク印刷モードキー３２が押下されると、機密マーク印刷モード設定処理モードに移行して、まず、当該選択されている蓄積文書のファイル属性の機密マーク印刷有無が「有り」に設定されているかチェックする（ステップＳ３０１）。
【０１０１】
ステップＳ３０１で、ファイル属性の機密マーク印刷有無が「無し」に設定されていると、ＣＰＵ２は、当該ファイル属性の機密マーク印刷有無を「有り」に設定し（ステップＳ３０２）、ファイル属性の機密マーク印刷モードの選択処理として、カウンタモードと配布者モードのいずれかを操作部５の操作に応じて設定して（ステップＳ３０３）、パスワード設定キーが押下されたかチェックする（ステップＳ３０４）。
【０１０２】
ステップＳ３０４で、パスワード設定キーが押下されると、ＣＰＵ２は、操作部５からのパスワード入力を取得して、ファイル属性に当該パスワードを設定した後（ステップＳ３０５）、機密マーク印刷モード設定処理を終了し、パスワード設定キーが押下されないときには、そのまま機密マーク印刷モード設定処理を終了する。
【０１０３】
ステップＳ３０１で、当該選択されている蓄積文書のファイル属性の機密マーク印刷有無が「有り」に設定されているときには、ＣＰＵ２は、当該ファイル属性の機密マーク印刷有無を「無し」に設定し（ステップＳ３０６）、当該蓄積文書のファイル属性の機密マーク印刷用のカウンタ、配布者リスト及びパスワードをリセットして（ステップＳ３０７）、機密マーク印刷モード設定処理を終了する。
【０１０４】
このように、各蓄積文書毎に機密マーク印刷モードとパスワードの設定を行うことができる。
【０１０５】
次に、上記図１０のステップＳ２１７の文書印刷動作処理について、図１２〜図１４に基づいて説明する。
【０１０６】
ＣＰＵ２は、上述のように蓄積文書選択の状態で、図１０のステップＳ２１６で、スタートキー２４が押下されると、図１２に示すように、当該選択状態の文書属性（ファイル属性）の機密マーク印刷有無が「有り」に設定されているかチェックし（ステップＳ４０１）、機密マーク印刷設定有無が「無し」に設定されていると、通常の文書印刷動作処理を行って、リターンする（ステップＳ４０２）。
【０１０７】
ステップＳ４０１で、選択文書のファイル属性の機密マーク印刷有無が「有り」に設定されていると、ＣＰＵ２は、機密マーク印刷モードがカウンタモードであるか配布者モードであるかをチェックし（ステップＳ４０３）、配布者モードのときには、図１３の配布者設定処理を行う。
【０１０８】
すなわち、図１３に示すように、ＣＰＵ２は、操作部５からの配布者の名前入力を待って、配布者の名前が入力されると（ステップＳ４０４）、当該入力された配布者の名前を当該選択文書のファイル属性の中の機密マーク印刷履歴である配布者リストと照合して、入力された配布者の名前が既にマークした配布者リストに入っているかチェックする（ステップＳ４０５）。なお、この配布者の名前の入力では、ＣＰＵ２は、図１５に示すような配布者入力画面（マーク指定手段）５０を液晶タッチパネル２８に表示する。この配布者入力画面５０では、過去に入力されて登録されている配布者名を表示する配布者キー５１と新規入力キー５２を表示し、今回設定入力する配布者が既に他の蓄積文書の配布者として登録されていて配布者キー５１に表示されているときには、当該配布者の配布者キー５１を押下することで、配布者の名前入力を行うことができ、今回設定入力する配布者が配布者キー５１に表示されていないときには、新規入力キー５２を押下した後、キーボードから名前の入力を行う。
【０１０９】
そして、ステップＳ４０３で、入力された配布者の名前が既にマークした配布者リストに入っていると、ＣＰＵ２は、当該入力された配布者を無効として、同じ配布者のマークを印刷しないようにし、ステップＳ４０４に戻って、次の配布者の入力から同様に処理する（ステップＳ４０４、Ｓ４０５）。
【０１１０】
ステップＳ４０３で、入力された配布者の名前が既にマークした配布者リストに入っていないときには、ＣＰＵ２は、当該入力された配布者を印刷用配布者リストに設定し（ステップＳ４０６）、印刷設定部数分の配布者が設定されたかチェックする（ステップＳ４０７）。
【０１１１】
ステップＳ４０７で、印刷設定部数分の配布者の設定が行われていないときには、ＣＰＵ２は、ステップＳ４０４に戻って、上記同様に次の配布者の設定を行い（ステップＳ４０４〜Ｓ４０７）、ステップＳ４０７で、印刷設定部数分の配布者の設定が行われていると、図１２の４０９に移行して、印刷設定部数分ループ開始位置を設定した後（ステップＳ４０９）、機密マーク印刷の履歴があふれたかチェックする（ステップＳ４１０）。
【０１１２】
そして、ステップＳ４０３で、機密マーク印刷のモードがカウンタモードであると、ＣＰＵ２は、変数ｃＴｅｍｐにファイル属性の機密マーク印刷履歴（カウンタ）を代入し（ステップＳ４０８）、印刷設定部数分ループ開始位置を設定した後（ステップＳ４０９）、機密マーク印刷の履歴があふれたかチェックする（ステップＳ４１０）。
【０１１３】
ステップＳ４１０で、機密マーク印刷履歴のカウンタが１周してしまったり、あるいは、配布者リストが格納限界になって、機密マーク印刷の履歴があふれた場合には、ＣＰＵ２は、印刷を中止して、リターンし、機密マーク印刷履歴のカウンタが１周してしまったり、配布者リストが格納できない場合の不具合を防止する。
【０１１４】
ステップＳ４１０で、機密マーク印刷履歴のカウンタが１周しておらず、かつ、配布者リストが格納限界になっていないときには、ＣＰＵ２は、機密マーク印刷のモードがカウンタモードであるか、配布者モードであるかチェックし（ステップＳ４１１）、機密マーク印刷のモードがカウンタモードであると、変数ｃＴｅｍｐの数字文字列を、マーク画像として画像メモリに書き込む（ステップＳ４１２）。ステップＳ４１１で、機密マーク印刷モードが配布者モードであると、ＣＰＵ２は、印刷用配布者リストを元に、配布者名をマーク画像として画像メモリに書き込む（ステップＳ４１３）。
【０１１５】
マーク画像を画像メモリに書き込むと、ＣＰＵ２は、図１４に示すように、文書のページ数分ループの開始を設定し（ステップＳ４１４）、蓄積画像を画像蓄積部７から読み出して画像メモリ１０でマーク画像と合成する（ステップＳ４１５）。
【０１１６】
ＣＰＵ２は、１ページ分の画像合成を行うと、当該１ページ分の合成画像を印刷部１１に転送して、印刷部１１で、当該合成画像を用紙に印刷し（ステップＳ４１６）、文書のページ数分のループの終了をセットして（ステップＳ４１７）、ステップＳ４１４からステップＳ４１７までの処理を文書のページ数分だけループ処理する。
【０１１７】
ステップＳ４１４からステップＳ４１７までの処理を文書のページ数分だけループ処理すると、ＣＰＵ２は、機密マーク印刷モードがカウンタモードであるか、配布者モードであるかチェックし（ステップＳ４１８）、カウンタモードであると、変数ｃＴｅｍｐを「１」だけ加算（インクリメント）し、ファイル属性の機密マーク印刷履歴（カウンタ）も「１」だけ加算して（ステップＳ４１９）、印刷設定部数分ループ終了位置の設定を行う（ステップＳ４２１）。
【０１１８】
また、ステップＳ４１８において、機密マーク印刷モードが配布者モードであると、ＣＰＵ２は、マーク印刷した配布者を配布者リストから削除し、ファイル属性の機密マーク印刷履歴（配布者）に追加して（ステップＳ４２０）、印刷設定部数分ループ終了位置の設定を行う（ステップＳ４２１）。
【０１１９】
ＣＰＵ２は、上述のようにマークの印刷済み処理と機密マーク印刷履歴への加算・追加処理を行うと、上記印刷設定部数分ループ開始位置を設定したステップＳ４０９から印刷設定部数分ループ終了位置を設定したステップ４２１までの処理を当該印刷設定部数分だけループ処理し、印刷設定部数分のループ処理（ステップＳ４０９〜Ｓ４２１）を実行すると、文書印刷動作処理を終了する。
【０１２０】
そして、画像形成装置１は、図１に示したように、ネットワークアダプタ１２及びＬＡＮを介して外部コンピュータＰＣに接続されており、この外部コンピュータＰＣに蓄積文書のファイル属性を送信することができる。
【０１２１】
すなわち、画像形成装置１は、図１６に示すように、外部コンピュータＰＣから蓄積文書マーク送信要求があるかチェックする（ステップＳ５０１）。この蓄積文書マーク送信要求は、蓄積文書ファイルを指定するファイルＩＤと当該蓄積文書ファイルのパスワードが指定された要求コマンドである。
【０１２２】
ＣＰＵ２は、ステップＳ５０１で、ネットワークアダプタ１２を介して外部コンピュータＰＣから蓄積文書マーク送信要求を受信すると、ファイルＩＤで指定されているファイルが機器、すなわち、画像形成装置１の画像蓄積部７に蓄積されているかチェックし（ステップＳ５０２）、蓄積されていないときには、要求されたファイルに該当するファイルがないため、送信要求結果を「失敗」とする応答コマンドを当該蓄積文書マーク送信要求を送ってきた外部コンピュータＰＣに送信して（ステップＳ５０３）、ステップＳ５０１に戻る。
【０１２３】
ステップＳ５０２で、ファイルＩＤで指定されている蓄積文書ファイルが画像蓄積部７に蓄積されていると、ＣＰＵ２は、蓄積文書マーク送信要求で送信されてきたパスワードと当該ファイルＩＤで指定されている蓄積文書ファイルのファイル属性のパスワードが一致するかを、当該蓄積文書ファイルのファイル属性を不揮発ＲＡＭ６から読み出して比較し（ステップＳ５０４）、一致していないときには、パスワードが一致していないため送信要求結果を「失敗」とする応答コマンドを当該蓄積文書マーク送信要求を送ってきた外部コンピュータＰＣに送信して（ステップＳ５０５）、ステップＳ５０１に戻る。
【０１２４】
ステップＳ５０４で、送信されてきたパスワードと蓄積文書のファイル属性のパスワードが一致すると、ＣＰＵ２は、当該蓄積文書ファイルのファイル属性及びマーク等を当該外部コンピュータＰＣに送信して（ステップＳ５０６）、ステップＳ５０１に戻る。
【０１２５】
したがって、外部コンピュータＰＣからも機密マーク印刷の履歴を取得して、ディスプレイ等に表示させて、確認することができる。
【０１２６】
このように、本実施例の画像形成装置１は、原稿読取部８から入力した文書データを画像蓄積部７に蓄積し、当該蓄積文書の各ページに任意の画像を合成して印刷部１１で印刷する合成印刷を行うに際して、当該合成印刷で、任意のマークを蓄積文書の各ページに合成して印刷するマーク合成印刷を行うとともに、当該印刷したマークを使用済みマークとして不揮発ＲＡＭ６に記憶している。
【０１２７】
したがって、任意のタイミングで任意の部数だけマーク合成印刷する場合等の機密保護のためのマーク合成印刷の利用性を向上させることができるとともに、マーク合成印刷文書の管理及び回収時のセキュリティを向上させることができ、利用性を向上させつつ機密保護を必要とする蓄積文書の機密保護を適切に向上させることができる。
【０１２８】
また、本実施例の画像形成装置１は、不揮発ＲＡＭ６に記憶されている使用済みマークを、当該マーク合成印刷を行った蓄積文書毎に、操作部５の液晶タッチパネル２８に表示出力、印刷部１１で印刷出力、または、外部装置である外部コンピュータＰＣへの出力のうち、少なくとも１つを行っている。
【０１２９】
したがって、機密保護用のマークを合成印刷した印刷物の配布、回収時のチェックを容易に行うことができ、利用性をより一層向上させつつ機密保護を必要とする蓄積文書の機密保護をより一層適切に向上させることができる。
【０１３０】
さらに、本実施例の画像形成装置１は、マーク合成印刷に使用するマークを、不揮発ＲＡＭ６に記憶されている使用済みマーク以外のマークから自動的に選択している。
【０１３１】
したがって、同じ蓄積文書で同じマークを２度と使わないようにすることができるとともに、マークの選択を容易なものとして、機密保護用のマーク合成印刷時のセキュリティを向上させることができ、利用性をより一層向上させつつ機密保護を必要とする蓄積文書の機密保護をより一層適切に向上させることができる。
【０１３２】
また、本実施例の画像形成装置１は、自動選択可能なマークがなくなると、新たなマーク合成印刷を中止している。
【０１３３】
したがって、同じマークが再度使われることを確実に防止することができ、利用性を向上させつつ機密保護を必要とする蓄積文書の機密保護をより一層適切に向上させることができる。
【０１３４】
さらに、本実施例の画像形成装置１は、操作部５の液晶タッチパネル２８で指定されたマークを、マーク合成印刷で使用している。
【０１３５】
したがって、機密保護に使用するマークの指定を容易に行うことができるとともに、利用者の意図するマークを適切に選択できるようにすることができ、利用性をより一層向上させつつ機密保護を必要とする蓄積文書の機密保護をより一層適切に向上させることができる。
【０１３６】
また、本実施例の画像形成装置１は、液晶タッチパネル２８で指定されたマークが不揮発ＲＡＭ６に記憶されている使用済みマークと一致すると、当該指定されたマークを使用したマーク合成印刷を拒否している。
【０１３７】
したがって、オペレータが選択することによるマークの重複使用を未然に防止することができ、利用性をより一層向上させつつ、機密保護を必要とする蓄積文書の機密保護をより一層適切に向上させることができる。
【０１３８】
さらに、本実施例の画像形成装置１は、画像蓄積部７の蓄積文書毎に当該蓄積文書をマーク合成印刷対象文書とするか否かのマーク合成印刷対象文書可否設定を可能とし、また、当該マーク合成印刷対象文書に対してパスワードの設定を可能としている。
【０１３９】
したがって、機密管理の必要のない文書については、通常の文書処理を可能として、利用性を向上させることができるとともに、機密保護を必要とする蓄積文書の機密保護を適切に向上させることができる。
【０１４０】
また、本実施例の画像形成装置１は、蓄積文書をマーク合成印刷対象文書として設定すると、当該蓄積文書の印刷条件を所定の印刷条件に固定している。
【０１４１】
したがって、機密保護を必要とする蓄積文書のマーク合成印刷物では印刷スタイルを統一することで、機密保護用マーク合成印刷物の配布、回収時のチェックを容易なものとすることができ、機密保護を必要とする蓄積文書の機密保護をより一層適切に向上させることができる。
【０１４２】
さらに、本実施例の画像形成装置１は、蓄積文書毎のマーク合成印刷対象文書とするか否かの設定を、当該蓄積文書を原稿読取部８から入力して画像蓄積部７に蓄積する際に設定できるようにしている。
【０１４３】
したがって、蓄積後に設定する場合に比較して、マーク合成印刷対象としての未設定期間を無くすことができ、機密保護を必要とする蓄積文書の機密保護をより一層適切に向上させるさせることができる。
【０１４４】
また、本実施例の画像形成装置１は、蓄積文書にパスワードが設定されていると、当該蓄積文書を利用した動作に際して、当該パスワードの認証を条件としている。
【０１４５】
したがって、機密保護を必要とする蓄積文書及び当該蓄積文書の機密マーク印刷の履歴情報等についてもより一層適切に機密を保護することができる。
【０１４６】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１４７】
機密保護のためのマークを文書画像に合成して印刷するマーク合成印刷の効果を適切に発揮させる画像形成装置及び記録媒体に適用することができる。
【図面の簡単な説明】
【０１４８】
【図１】本発明の画像形成装置及び記録媒体の一実施例を適用した画像形成装置のブロック構成図。
【図２】図１の操作部の平面図。
【図３】図１の画像形成装置によるマーク合成印刷処理の説明図。
【図４】図１の不揮発ＲＡＭに記憶される文書ファイル属性の一例を示す図。
【図５】図１の操作部の液晶タッチパネルに表示される蓄積文書一覧画面の一例を示す図。
【図６】図１の操作部の液晶タッチパネルに表示される機密印刷用のマークがカウンタである場合の文書詳細情報の一例（ａ）と機密印刷用のマークが配布者である場合の文書詳細情報の一例（ｂ）を示す図。
【図７】図５で文書蓄積キーが押下されたときに液晶タッチパネルに表示される文書蓄積処理画面の一例を示す図。
【図８】図１の画像形成装置による文書蓄積処理を示すフローチャート。
【図９】図１の画像形成装置による基本制御処理を示すフローチャート。
【図１０】図９の基本制御処理の続きの処理を示すフローチャート。
【図１１】図１０の基本制御処理の機密マーク印刷モード設定処理の詳細な処理を示すフローチャート。
【図１２】図１０の基本制御処理の文書印刷動作処理の詳細な処理を示すフローチャート。
【図１３】図１２の文書印刷動作処理の続きの処理を示すフローチャート。
【図１４】図１２の文書印刷動作処理のさらに続きの処理を示すフローチャート。
【図１５】図１２の文書印刷動作処理の配布者名入力時に液晶タッチパネルに表示する配布者入力画面の一例を示す図。
【図１６】図１の画像形成装置による文書ファイル情報の外部コンピュータへの送信処理を示すフローチャート。
【符号の説明】
【０１４９】
１  画像形成装置
２  ＣＰＵ
３  ＲＯＭ
４  ＲＡＭ
５  操作部
６  不揮発ＲＡＭ
７  画像蓄積部
８  原稿読取部
９  ＭＳＵ
１０  画像メモリ
１１  印刷部
１２  ネットワークアダプタ
２１  テンキー
２２  クリアキー
２３  エンターキー
２４  スタートキー
２５  コピーキー
２６  蓄積・印刷キー
２７  初期設定キー
２８  液晶タッチパネル
３０  蓄積文書一覧画面
３１ａ〜３１ｃ  文書キー
３２  機密マーク印刷モードキー
３３  印刷条件設定キー
３４  文書蓄積キー
３５  詳細キー
３６  ページ戻るキー
３７  ページ進むキー
４０  文書蓄積処理画面
４１  ファイル名設定キー
４２  ファイル作成者設定キー
４３  機密マーク印刷設定キー
５０  配布者入力画面
５１  配布者キー
５２  新規入力キー
【図１】
2005184408.tif 000003
【図２】
2005184408.tif 000004
【図３】
2005184408.tif 000005
【図４】
2005184408.tif 000006
【図５】
2005184408.tif 000007
【図６】
2005184408.tif 000008
【図７】
2005184408.tif 000009
【図８】
2005184408.tif 000010
【図９】
2005184408.tif 000011
【図１０】
2005184408.tif 000012
【図１１】
2005184408.tif 000013
【図１２】
2005184408.tif 000014
【図１３】
2005184408.tif 000015
【図１４】
2005184408.tif 000016
【図１５】
2005184408.tif 000017
【図１６】
2005184408.tif 000018